(57)【特許請求の範囲】
【請求項１】
両側端部領域がそれぞれ支持部品を介して支持体の開口内に取り付け可能であり、各支持部品が支持体の片側と係合しかつ拡張位置において保持される少なくとも一つのラッチ係合領域を有するプラスチック製アシストグリップにおいて、
支持部品（３）がラッチ係合領域として相互に対向する係合ウェブ（１０、１１）を有し、一方の係合ウェブ（１１）は他方の係合ウェブ（１０）より弾性を有するように形成されていることと、
前記弾性係合ウェブ（１１）が拡張位置（Ｓ）において固定されたロックボルト（１５）により、前記係合ウエブが支持体の開口（５）を通した状態で支持体の片側と係合することと、
支持部品（３）には、両方の係合ウェブ（１０、１１）の下側に、少なくとも部分的に旋回可能に形成されたアシストグリップ（１）の端部領域を貫通するばね付勢された支持ボルト（２０）のための相互に間隔配置された二つの支持部（８、９）が設けられていることと、
を特徴とするプラスチック製アシストグリップ。
【請求項２】
弾性係合ウェブ（１１）が剛性係合ウェブ（１０）の下側に配置されていることを特徴とする請求項１に記載のアシストグリップ。
【請求項３】
支持部品（３）が、弾性係合ウェブ（１１）の肩部（２２）の対向側に、閉鎖位置において支持体（４）に当接する当接面（２３）を有することと、
剛性係合ウェブ（１０）の端部側に支持体（４）の厚みに適合する溝（２４）が設けられていることと、
を特徴とする請求項１又は２に記載のアシストグリップ。
【請求項４】
支持部品（３）が、係合要素（１０、１１）の反対側のアシストグリップ（１）のそれぞれの端部領域（２、２′）により覆われる側に、アシストグリップ（１）の回転を制限するための少なくとも一つの当接領域（３０）を有していることを特徴とする請求項１ないし３のいずれかに記載のアシストグリップ。
【請求項５】
アシストグリップの各端部領域が上部当接肩部（３１）と及び端部領域（２、２′）の範囲内に設けられた下部湾曲当接ゾーン（３２）とを有し、アシストグリップ（１）が外側旋回位置（Ａ）にあるとき前記当接ゾーン（３２）の正面側が支持部品（３）の対向面（３３）に当接することを特徴とする請求項４に記載のアシストグリップ。
【請求項６】
アシストグリップ（１）の各端部領域に切欠部（２５）が設けられ、前記切欠部（２５）内に、当接領域（３０）が設けられたそれぞれの支持部品（３）の後部領域（３４）を受入可能であることを特徴とする請求項４に記載のアシストグリップ。
【請求項７】
切欠部（２５）が湾曲当接ゾーン（３２）に続きかつその正面はアシストグリップ（１）が外側旋回位置（Ａ）にあるとき支持部品（３）の対向面（３３）に当接することを特徴とする請求項５又は６に記載のアシストグリップ。
【請求項８】
支持部品（３）が、弾性係合ウェブ及び剛性係合ウェブ（１０、１１）の間に、断面が四角形のロックボルト（１５）の主本体（１６）を挿入するための四角形の貫通開口（１７）を有することを特徴とする請求項１ないし７のいずれかに記載のアシストグリップ。
【請求項９】
ロックボルト（１５）の主本体（１６）の端部側に、支持部品（３）の後部領域（３４）に当接する閉鎖板（１９）が設けられていることを特徴とする請求項８に記載のアシストグリップ。
【請求項１０】
主本体（１６）がその長手方向に沿って支持部品（３）のラッチ係止部内に挿入可能な弾性ロックタング（３５、３６）を有することを特徴とする請求項８又は９に記載のアシストグリップ。
【請求項１１】
前記ロックタング（３５、３６）が異なる長さを有することを特徴とする請求項１０に記載のアシストグリップ。
【請求項１２】
支持ボルト（２０）がアシストグリップ（１）の旋回運動を緩衝する回転ダンパ（６０）と結合されていることを特徴とする請求項１ないし１１のいずれかに記載のアシストグリップ。
【発明の詳細な説明】
【０００１】
【発明の属する技術分野】
本発明は、その両側端部領域がそれぞれ支持部品を介して支持体開口内に固定可能であり、各支持部品が支持開口の後側と係合しかつ拡張位置において保持される少なくとも一つのラッチ係合領域を有するプラスチック製アシストグリップに関するものである。
【０００２】
【従来の技術】
一般的な従来技術として、例えば、自動車の車体に固定可能なこの種のアシストグリップは既知である。この構造は費用が高くかつ大きな空間を占有している。
【０００３】
【発明が解決しようとする課題】
したがって、構造が簡単でかつ迅速に装着可能であり、しかも必要な空間が僅かでよい自動車の車体に固定可能なこの種のアシストグリップを提供することが本発明の課題である。
【０００４】
【課題を解決するための手段】
この課題は本発明により、支持部品がラッチ係合領域として相互に対向する係合ウェブを有し、一方の係合ウェブは他方の係合ウェブより弾性を有するように形成されていることと、弾性係合ウェブが拡張位置において固定されたロックボルトにより支持体開口の後側に係合することと、及び支持部品には、両方の係合ウェブの下側に、少なくとも部分的に旋回可能に形成されたアシストグリップの端部領域を貫通するばね付勢された支持ボルトのための相互に間隔配置された二つの支持部が設けられていることと、により解決される。
【０００５】
アシストグリップのこの特殊形状により装着過程を迅速に行うことができ、この場合とくにアシストグリップは少なくとも部分的に旋回可能に形成されているので、アシストグリップは中立位置においては僅かな空間を必要とするにすぎない。
【０００６】
本発明の他の実施態様において、弾性係合ウェブが剛性係合ウェブの下側に配置されていてもよく、ここで支持部品が、弾性係合ウェブの肩部の対向側に、閉鎖位置において支持体に当接する当接面を有し、及び剛性係合ウェブの端部側に支持体の厚みに適合する溝が設けられている。したがって、支持部品は支持体開口内に押し込まれ、かつロックボルトにより固定され、ロックボルトは剛性係合ウェブの内側のみでなく弾性係合ウェブの内側にもまたそれぞれ当接している。
【０００７】
本発明の他の実施態様において、支持部品が、係合要素の反対側のそれぞれの端部領域により覆われる側に、アシストグリップの回転を制限するための少なくとも一つの当接領域を有していてもよい。この場合、アシストグリップの各端部領域が上部当接肩部と及び端部領域の範囲内に設けられた下部湾曲当接ゾーンとを有し、アシストグリップが開放されたとき当接ゾーンの正面側が支持部品の対向面に当接してもよい。
【０００８】
本発明の他の実施態様において、アシストグリップの各端部領域に切欠部が設けられ、切欠部内に、当接領域が設けられたそれぞれの支持部品の後部領域を受入可能であってもよい。この切欠部が湾曲当接ゾーンに移行しかつその正面はアシストグリップが開放されているとき支持部品の対向面に当接してもよい。したがって、切欠部は一方で支持部品の一つの領域を受け入れ、他方で当接面がアシストグリップの旋回運動を制限しているという二重機能をなしている。
【０００９】
本発明の他の特徴により、支持部品が、弾性係合ウェブ及び剛性係合ウェブの間に、断面が四角形のロックボルトの主本体を挿入するための四角形の貫通開口を有してもよい。この場合、ロックボルトの主本体の端部側に、支持部品の後部領域に当接する閉鎖板が設けられ、主本体にその長手方向に沿って、支持部品のラッチ係止部内に挿入可能な弾性ロックタングが設けられていてもよい。相互に向かい合うロックタングが異なる長さを有していてもよい。このロックタングを用いて支持部品を拡張位置において支持体開口内に機能的に確実に保持し、これによりアシストグリップ全体を支持体に機能的に確実に固定することが可能である。
【００１０】
以下に本発明を図面に示す実施態様により詳細に説明する。
【００１１】
【発明の実施の形態】
図１にプラスチック製アシストグリップ１が示され、アシストグリップ１は二つの端部領域２及び２′を有し、端部領域２及び２′にはそれぞれ切欠部２５が設けられている。この切欠部２５の両側にはそれぞれ、他のウェブ４２により相互に結合された側壁４０、４１により境界が形成されている。この場合図１２に示すように、側壁４０は貫通開口４４をまた側壁４１は同軸の開口４５をそれぞれ有し、これらの開口４４及び４５はたとえば袋穴として形成してもよい。両方の開口４４及び４５は支持ボルト２０を受け入れる働きをしている（図１２）。
【００１２】
図２及び３から、アシストグリップ１が係合要素３及びロックボルト１５を介して支持体４に固定されていることがわかる。この支持体４は開口５を有している。支持部品３はラッチ係合領域として相互に向かい合う二つの係合ウェブ１０及び１１を有し、この場合図６及び７から、一方の係合ウェブ１０が剛性要素としてまた他方の係合ウェブ１１が弾性要素として形成されていることがわかる。剛性係合ウェブ１０は図５及び６に示すように溝２４を有し、溝２４は後部領域内に設けられかつその幅が支持体の厚さに適合している。弾性係合ウェブ１１は溝２４に類似して係合肩部２２を有し、この係合肩部２２に向かい合って当接面２３を有している。両方の係合ウェブ１０及び１１の前方領域は装着しやすいように円錐形に形成されている。
【００１３】
図２から、剛性係合ウェブ１０の溝２４は支持体４の開口５の後側に当接し、この当接部の反対側で弾性係合ウェブ１１が拡張位置Ｓにおいて、ロックボルト１５により弾性係合ウェブ１１の係合肩部２２を支持体４の片側にまた当接面２３を支持体４の反対側に当接させていることがわかる。したがって、ロックボルト１５により支持部品３は支持体４の開口５内に確実に固定されている。
【００１４】
アシストグリップ１は、図２に略図で示した中立位置Ｒから、図３に略図で示した外方旋回位置Ａに移動することができる。このためにアシストグリップ１は支持ボルト２０の周りを反時計方向に回転し、支持ボルト２０はそれぞれの支持部品３の支持部８及び９内の貫通開口３７及び３８を貫通し、かつアシストグリップ１の端部領域２ないし２′の側壁４０及び４１の開口４４及び４５内に支持されている。
【００１５】
アシストグリップ１の各端部領域は上部当接肩部３１と及び端部領域２、２′の範囲内に設けられた当接ゾーン３２とを有し、当接ゾーン３２の正面側は、図３に示すようにアシストグリップ１が開放された位置Ａにおいて支持部品３の対向面３３に当接する。支持部品３は係合要素１０、１１とは反対側に対応して、アシストグリップ１の回転を制限する当接領域３０を有している。
【００１６】
図２に示した中立位置Ｒにおいて、アシストグリップ１の当接肩部３１は支持部品３の上部領域に当接し、下部湾曲当接ゾーン３２は支持部品３の下部領域を部分的に覆っている。
【００１７】
図３に示した開放位置Ａにおいて、アシストグリップ１の当接肩部３１は支持部品３から離れ、湾曲当接ゾーン３２が支持部品３の後方下部領域を覆っている。このとき支持部品３の対向面３３が作用し、対向面３３はアシストグリップ１の湾曲当接ゾーン３２の正面により当接される。したがって、アシストグリップ１はその外方旋回位置Ａにおいてそれ以上回転しないように確実に固定されている。
【００１８】
図６、７及び８から、支持部品３が剛性係合ウェブ１０及び弾性係合ウェブ１１の間に四角形の貫通開口１７を有していることがわかる。この貫通開口１７の断面は図９、１０及び１１に示したロックボルト１５に適合している。
【００１９】
四角形の貫通開口１７の下側に、支持部品３は支持ボルト２０を挿入するための貫通開口３７及び３８を設けた二つの支持部８及び９を有している。
【００２０】
図８から、支持部品３はそれぞれ非対称に形成されかつアシストグリップ１のそれぞれの端部領域２ないし２′の切欠部２５内に挿入可能な形状を有していることがわかる。
【００２１】
ロックボルト１５は断面が四角形の主本体１６を有し、主本体１６は支持部品３の貫通開口１７内に挿入可能である。主本体１６は十分な弾性を保持するために袋穴状に形成されていることが好ましい。
【００２２】
ロックボルト１５のこの主本体１６の端部側に閉鎖板１９が設けられ、閉鎖板１９は支持部品３の後部領域３４に当接可能である。主本体１６の長手方向に沿ってロックボルト１５はそれぞれ支持部品３の相手側ラッチ係止部内に挿入可能な弾性ロックタング３５及び３６を有している。図１０から、ロックタング３５及び３６は異なる長さを有してもよいことがわかる。支持部品３は側部領域内に対応する相手側ラッチ係止部を有し、閉鎖位置Ｓにおいてこの相手側ラッチ係止部の後側にロックボルト１５の弾性ロックタング３５及び３６が係合する。
【００２３】
図１２から、アシストグリップ１の端部領域２ないし２′の開口４４及び４５及び支持部品３の支持部８及び９を貫通する支持ボルト２０がコイルばね２１により包囲され、コイルばね２１は一方でアシストグリップ１の端部領域２ないし２′の横ウェブ４２に支持され、他方で支持部品３の後部領域３４に当接していることがわかる。このばね２１により、位置Ａにおいてアシストグリップ１を放した後に、アシストグリップ１は外方旋回位置Ａから図２に示す中立位置Ｒに確実に戻ることができる。
【００２４】
位置Ｒへのこの戻り運動を緩衝させるために、ばね２１に対し反作用として働く略図で示したいわゆる回転ダンパ６０が設けられている。この場合粘性媒体又は緩衝材料によりアシストグリップ１の旋回運動は減速される。
【００２５】
図４及び５はアシストグリップ１の支持体４への装着過程を示している。アシストグリップ１は支持ボルト２０及びコイルばね２１を介して支持部品３にあらかじめ固定され、図４に示すように、ロックボルト１５はその主本体１６が支持部品３の貫通開口１７内に僅かの範囲だけ挿入されている。弾性係合ウェブ１１はその中立位置に存在しているので、支持部品３を支持体の開口５内に挿入することが可能である。
【００２６】
この挿入が図５に示すように行われた場合、剛性係合要素１０の溝２４が支持体５の後側に当接し、当接面２３は支持体４の反対側に当接する。次にロックボルト１５が矢印Ｉの方向に挿入されてロックボルト１５の主本体１６を貫通開口１７内に完全に挿入し、最終的にロックボルト１５は図２ないし３に示す位置をとる。
【００２７】
このとき弾性係合ウェブ１１は拡張位置Ｓをとり、すなわち係合肩部２２は当接面２３とは反対側で支持体４に当接する。したがって、図２及び３に示すようにアシストグリップ１は支持体４に機能的に確実に固定され、アシストグリップ１は位置Ｒ及びＡの間で旋回することができる。装着位置において、ロックボルト１５の閉鎖板１９は支持部品３の後部領域３４に当接し、これによりアシストグリップ１の旋回運動を妨害しないそれ自身閉じたユニットが形成される。
【００２８】
本発明によるアシストグリップの特殊形状により迅速かつ機能的に確実な装着が行われ、ここでさらにアシストグリップの旋回により空間をとらない配置が提供される。
【図面の簡単な説明】
【図１】アシストグリップの部分破断正面図である。
【図２】支持体に固定されたアシストグリップの中立位置における略側面図である。
【図３】支持体に固定されたアシストグリップの開放位置における略側面図である。
【図４】係合要素によりアシストグリップを支持体に固定する第１の過程図である。
【図５】係合要素によりアシストグリップを支持体に固定する第２の過程図である。
【図６】支持部品の側面図である。
【図７】図６に示す支持部品の断面図である。
【図８】図６及び７に示す支持部品の正面図である。
【図９】ロックボルトの側面図である。
【図１０】図９に示すロックボルトの平面図である。
【図１１】ロックボルトの正面図である。
【図１２】図１に示すアシストグリップの端部領域の組込状態における部分破断拡大図である。
【符号の説明】
１  アシストグリップ                ２、２′  端部領域
３  支持部品（係合要素）            ４  支持体
５  支持体開口                      ８、９  支持部
１０  剛性係合ウェブ                １１  弾性係合ウェブ
１５  ロックボルト                  １６  主本体
１７  貫通開口                      １９  閉鎖板
２０  支持ボルト                    ２２  係合肩部
２３  当接面                        ２４  溝
２５  切欠部                        ３０  当接領域
３１  当接肩部                      ３２  湾曲当接ゾーン
３３  対向面                        ３４  後部領域
３５、３６  ロックタング            ６０  回転ダンパ
Ａ  外方旋回位置（開放位置）        Ｒ  中立位置
Ｓ  拡張位置（閉鎖位置）
【図１】
0003848427.tif 000002
【図２】
0003848427.tif 000003
【図３】
0003848427.tif 000004
【図４】
0003848427.tif 000005
【図５】
0003848427.tif 000006
【図６】
0003848427.tif 000007
【図７】
0003848427.tif 000008
【図８】
0003848427.tif 000009
【図９】
0003848427.tif 000010
【図１０】
0003848427.tif 000011
【図１１】
0003848427.tif 000012
【図１２】
0003848427.tif 000013